(57)【要約】【課題】噴射された流体の着弾位置精度を高めることが可能な記録装置を提供すること。【解決手段】記録媒体を支持する支持部材と、前記支持部材上の前記記録媒体に流体を噴射する記録ヘッドを保持し、所定の走査方向に移動するキャリッジと、前記キャリッジと前記支持部材との間に配置される前記記録媒体に向けて気体を送風する送風口を有する送風部と、前記送風口に対向する位置に設けられ、前記走査方向について前記記録ヘッドの外側に突出するように形成され、前記送風口からの送風方向を調整する送風調整部とを備える。【選択図】図２
2013139119.tif 000002
【特許請求の範囲】
【請求項１】
記録媒体を支持する支持部材と、
前記支持部材上の前記記録媒体に流体を噴射する記録ヘッドを保持し、所定の走査方向に移動するキャリッジと、
前記キャリッジと前記支持部材との間に配置される前記記録媒体に向けて気体を送風する送風口を有する送風部と、
前記送風口に対向する位置に設けられ、前記走査方向について前記記録ヘッドの外側に突出するように形成され、前記送風口からの送風方向を調整する送風調整部と
を備える記録装置。
【請求項２】
前記送風調整部は、前記走査方向について前記キャリッジの両側に突出するように形成されている
請求項１に記載の記録装置。
【請求項３】
前記走査方向に交差する搬送方向に前記記録媒体を搬送する搬送部
を更に備え、
前記送風調整部は、前記搬送方向において前記送風口よりも上流側に突出するように形成されている
請求項１又は請求項２に記載の記録装置。
【請求項４】
前記キャリッジは、前記記録ヘッドの側部を囲う第二送風調整部を有する
請求項１から請求項３のうちいずれか一項に記載の記録装置。
【請求項５】
前記第二送風調整部は、前記送風方向への気体の流れを規制する板状部材を有する
請求項４に記載の記録装置。
【請求項６】
前記第二送風調整部は、前記送風方向への気体の流れを規制する羽状部材を有する
請求項４又は請求項５に記載の記録装置。
【請求項７】
前記第二送風調整部は、前記送風方向への気体の流れを規制する箱状部材を有する
請求項４から請求項６のうちいずれか一項に記載の記録装置。
【発明の詳細な説明】
【技術分野】
【０００１】
本発明は、記録装置に関する。
【背景技術】
【０００２】
記録媒体に流体を噴射して画像や文字等を記録する記録装置の一つとして、インクジェット式プリンターが知られている。このインクジェット式プリンターにおいて、浸透乾燥や蒸発乾燥を必要とするインク（流体）を用いる場合、インクジェットヘッドから記録媒体に噴射したインクを乾燥させるために、記録媒体を加熱する加熱装置や記録媒体に風を送る送風装置などが設られている（例えば、特許文献１参照）。
【先行技術文献】
【特許文献】
【０００３】
【特許文献１】特開２００６−２２４４６０号公報
【発明の概要】
【発明が解決しようとする課題】
【０００４】
しかしながら、記録媒体に風を送る際に、インクジェットヘッドの走査領域において気流が生じる場合がある。この場合、噴射されたインクの着弾位置精度が悪化する可能性がある。
【０００５】
以上のような事情に鑑み、本発明は、噴射された流体の着弾位置精度を高めることが可能な記録装置を提供することを目的とする。
【課題を解決するための手段】
【０００６】
本発明に係る記録装置は、記録媒体を支持する支持部材と、前記支持部材上の前記記録媒体に流体を噴射する記録ヘッドを保持し、所定の走査方向に移動するキャリッジと、前記キャリッジと前記支持部材との間に配置される前記記録媒体に向けて気体を送風する送風口を有する送風部と、前記送風口に対向する位置に設けられ、前記走査方向について前記記録ヘッドの外側に突出するように形成され、前記送風口からの送風方向を調整する送風調整部とを備える。
【０００７】
本発明によれば、キャリッジと支持部材との間に配置される記録媒体に向けて気体を送風する送風口を有する送風部と、当該送風口に対向する位置に設けられ走査方向について記録ヘッドの外側に突出するように形成され送風口からの送風方向を調整する送風調整部とを備えるので、記録ヘッドと記録媒体との間に気体が流れ込むのを防ぐことができる。これにより、記録ヘッドから噴射される流体の飛行曲がりを防ぐことができるので、噴射された流体の着弾位置精度を高めることが可能となる。
【０００８】
上記の記録装置において、前記送風調整部は、前記走査方向について前記キャリッジの両側に突出するように形成されていることが好ましい。  
本発明によれば、送風調整部が走査方向についてのキャリッジの両側に突出するように形成されているため、記録媒体上に気体が流れ込むのをより確実に防ぐことができる。これにより、流体の飛行曲がりを防ぐことができるので、噴射された流体の着弾位置精度を高めることが可能となる。
【０００９】
上記の記録装置において、前記走査方向に交差する搬送方向に前記記録媒体を搬送する搬送部を更に備え、前記送風調整部は、前記搬送方向において前記送風口よりも上流側に突出するように形成されていることが好ましい。  
本発明によれば、走査方向に交差する搬送方向に記録媒体を搬送する搬送部を更に備え、送風調整部が搬送方向において送風口よりも上流側に突出するように形成されているので、搬送方向の上流側から記録媒体上に気体が流れ込むのを防ぐことができる。これにより、流体の飛行曲がりを防ぐことができるので、噴射された流体の着弾位置精度を高めることが可能となる。
【００１０】
上記の記録装置において、前記キャリッジは、前記記録ヘッドの側部を囲う第二送風調整部を有することが好ましい。  
本発明によれば、第二送風調整部によって記録ヘッドの側部が囲われるので、記録ヘッドの側部から記録媒体上に気体が流れ込むのをより確実に防ぐことができる。これにより、流体の飛行曲がりを防ぐことができるので、噴射された流体の着弾位置精度を高めることが可能となる。
【００１１】
上記の記録装置において、前記第二送風調整部は、前記送風方向への気体の流れを規制する板状部材を有することが好ましい。  
本発明によれば、板状部材によって送風方向への気体の流れが規制されるため、記録媒体上に気体が流れ込むのを防ぐことができる。これにより、流体の飛行曲がりを防ぐことができるので、噴射された流体の着弾位置精度を高めることが可能となる。
【００１２】
上記の記録装置において、前記第二送風調整部は、前記送風方向を規制する羽状部材を有することが好ましい。  
本発明によれば、羽状部材によって送風方向への気体の流れが規制されるため、記録媒体上に気体が流れ込むのを防ぐことができる。これにより、流体の飛行曲がりを防ぐことができるので、噴射された流体の着弾位置精度を高めることが可能となる。
【００１３】
上記の記録装置において、前記第二送風調整部は、前記送風方向への気体の流れを規制する箱状部材を有することが好ましい。  
本発明によれば、箱状部材によって送風方向への気体の流れが規制されるため、記録媒体上に気体が流れ込むのを防ぐことができる。これにより、流体の飛行曲がりを防ぐことができるので、噴射された流体の着弾位置精度を高めることが可能となる。
【図面の簡単な説明】
【００１４】
【図１】本発明の実施の形態に係るプリンターを示す図。
【図２】本実施形態に係るキャリッジの構成を示す図。
【図３】本実施形態に係るキャリッジの構成を示す図。
【図４】本実施形態に係るキャリッジの構成を示す図。
【図５】本実施形態に係るプリンターの一部の構成を示す図。
【発明を実施するための形態】
【００１５】
以下、本発明に係る記録装置の各実施形態について、図を参照して説明する。なお、以下の説明に用いる各図面では、各部材を認識可能な大きさとするため、各部材の縮尺を適宜変更している。本実施形態では、本発明に係る記録装置として、インクジェット式プリンター（以下、単にプリンターと称する）を例示する。
【００１６】
図１は、本発明の実施形態におけるプリンター１を示す構成図である。  
プリンター１は、比較的大型のメディア（記録媒体）Ｍを扱うラージフォーマットプリンター（ＬＦＰ）である。本実施形態のメディアＭは、例えば塩化ビニル系フィルムから形成されている。
【００１７】
図１に示すように、プリンター１は、ロール・ツー・ロール方式でメディアＭを搬送する搬送部２と、メディアＭに対してインク（流体）を噴射して画像や文字等を記録する記録部３と、メディアＭを加熱する加熱部４とを有する。これら各構成部は、本体フレーム５に支持されている。
【００１８】
搬送部２は、ロール状のメディアＭを送り出すロール２１と、送り出されたメディアＭを巻き取るロール２２とを有する。搬送部２は、ロール２１とロール２２との間の搬送経路においてメディアＭを搬送する搬送ローラー対２３を有する。また、搬送部２は、メディアＭに張力を付与するテンションローラー２５を有する。テンションローラー２５は、揺動フレーム２６に支持されている。
【００１９】
記録部３は、搬送されるメディアＭに対してインクを噴射するインクジェットヘッド（記録ヘッド）３１と、インクジェットヘッド３１を搭載して幅方向（図１において紙面垂直方向）に往復移動自在なキャリッジ３２とを有する。インクジェットヘッド３１は、複数のノズルを備え、メディアＭとの関係で選択されて浸透乾燥や蒸発乾燥を必要とするインクを噴射可能な構成となっている。本実施形態のインクジェットヘッド３１は、蒸発乾燥を必要とする溶剤系インクや水系インクを噴射可能な構成となっている。
【００２０】
加熱部４は、メディアＭを加熱することによりインクをメディアＭに速やかに乾燥定着させ、滲みやぼやけを防止して、画質を高める構成となっている。加熱部４は、記録部３が設けられた位置よりも搬送方向上流側でメディアＭを予熱するプレヒーター部４１と、記録部３と対向する位置でメディアＭを加熱するプラテンヒーター部４２と、記録部３が設けられた位置よりも搬送方向下流側でメディアＭを加熱するアフターヒーター部４３とを有する。
【００２１】
次に、キャリッジ３２の構成について説明する。  
図２は、キャリッジ３２の構成を示す側面図である。図３は、キャリッジ３２の構成を示す斜視図である。図４は、キャリッジ３２の構成を示す底面図である。
【００２２】
図２に示すように、プラテンヒーター部４２は、メディアＭを支持する支持面５０を備える支持部材５１（プラテン）を有する。支持部材５１は、金属製の平板形状を有し、メディアＭの搬送方向（図２において紙面左右方向）と直交する幅方向（図２において紙面垂直方向）に延在して設けられている。支持部材５１は、メディアＭを幅方向に亘って支持するために、搬送部２によって搬送可能なメディアＭの最大幅よりも大きな幅を有する。
【００２３】
支持部材５１の支持面５０と対向する位置には、赤外線ヒーター（加熱装置）５３が設けられている。赤外線ヒーター５３は、支持面５０に対し所定距離をあけ、且つ、支持部材５１の幅方向に亘って延在して設けられている。したがって、赤外線ヒーター５３は、支持面５０に直接的に赤外線エネルギーを照射することにより、支持部材５１を輻射加熱すると共に、支持面５０上にメディアＭが支持されている場合には、メディアＭの記録面側を直接的に輻射加熱する構成となっている。
【００２４】
赤外線ヒーター５３は、輻射スペクトルのピークの主要部が２μｍ〜４μｍの領域を含む波長を有する電磁波を照射する構成となっている。これにより、赤外線ヒーター５３は、周囲の水分子を含まない構成部材などをあまり昇温させずに、インクに含まれる水分子を振動させて、その摩擦熱により乾燥を速やかに促すことができる。したがって、赤外線エネルギーの大部分をインクに吸収させ、記録面上に着弾したインクを集中的に加熱することができる。
【００２５】
プラテンヒーター部４２は、支持部材５１上のメディアＭに向けて気体（本実施形態では空気）を送風する送風口５５を備える送風装置５４を有する。送風装置５４は、内部にファン５４ａを備えており、外から取り込んだ気体を送風口５５から所定の送風圧で流出させる構成となっている。送風口５５は、キャリッジ３２の上方に位置し、支持面５０に対向して開口する構成となっている。この送風口５５は、赤外線ヒーター５３よりも搬送方向上流側に設けられている。
【００２６】
送風口５５は、支持部材５１の幅方向に亘って延在若しくは点在して設けられている。また、幅方向に亘って設けられる送風口５５からの送風圧を確保するため、ファン５４ａも同様に、幅方向に亘って所定距離をあけて点在して複数設けられている。
【００２７】
上記構成の送風装置５４は、赤外線ヒーター５３による輻射加熱の熱伝達性を向上させる機能を有する。すなわち、送風装置５４は、輻射加熱によりインクから蒸発した蒸発成分を、送風口５５からの気体流に乗せて除去・拡散させることにより、記録面に対する赤外線エネルギーの伝達効率を向上させることができる。
【００２８】
キャリッジ３２は、インクジェットヘッド３１を搭載し、ガイド軸３３軸及びガイド軸３４に沿って幅方向に移動する構成となっている。インクジェットヘッド３１は、キャリッジ３２によって支持部材５１と赤外線ヒーター５３との間に保持され、支持部材５１上のメディアＭに向けてインクを噴射する構成となっている。
【００２９】
エネルギー効率の面から、赤外線ヒーター５３と乾燥対象となるメディアＭとの距離が小さいほど良好である。このため、赤外線ヒーター５３は、インクを噴射するインクジェットヘッド３１を搭載するキャリッジ３２の近傍に配置されている。
【００３０】
キャリッジ３２は、インクジェットヘッド３１及びインクシステム３８などを収容する筐体３５を有する。筐体３５は、ガイド軸３３及びガイド軸３４に接続された接続部６０と、インクジェットヘッド３１を保持する保持部６３とを有している。保持部６３は接続部６０の搬送方向上流側に配置されている。接続部６０と保持部６３とは一体的に移動可能に形成されている。
【００３１】
接続部６０は、送風口５５に対向する位置に第一天井部６１を有する。第一天井部６１は、支持部材５１の支持面５０に平行に形成されており、側面視（例えば図２など）において、送風口５５に対向する位置に配置されている。第一天井部６１は、送風口５５から送られる気体をメディアＭの搬送方向又は幅方向に流す。
【００３２】
接続部６０のうち第一天井部６１に対して搬送方向の下流側には、段部６２が形成されている。第一天井部６１及び段部６２の幅方向の両端部には、側板７１が設けられている。側板７１は、接続部６０の側部（幅方向の両端部）を塞ぐように形成されている。当該側板７１は、第一天井部６１及び段部６２から幅方向に流された気体が筐体３５の内部に入り込むのを防いでいる。
【００３３】
また、筐体３５の搬送方向の上流側の端部には、背面板７０が設けられている。背面板７０は、筐体３５の上流側を覆うように形成されている。当該背面板７０は、第一天井部６１から搬送方向の上流側に流された気体が筐体３５の内部に入り込むのを防いでいる。また、背面板７０には、ガイド軸３３及びガイド軸３４が接続されている。
【００３４】
また、図３に示すように、接続部６０の幅方向の両端部は、保持部６３に対して幅方向に突出するように形成されている（突出部８１及び突出部８２）。突出部８１及び突出部８２が保持部６３に対して幅方向に突出しているため、第一天井部６１を伝わる気体は幅方向のより外側に流されるため、保持部６３に到達しにくくなる。このように、突出部８１及び突出部８２は、送風口５５からの送風される気体が幅方向の外側へ向かうように、当該気体の流れる方向を調整する。
【００３５】
また、図２及び図３に示すように、第一天井部６１は、送風口５５に対して搬送方向の上流側に突出するように形成されている。具体的には、第一天井部６１は、側面視において送風口５５を搬送方向の全体に亘って覆うと共に、送風口５５に対して搬送方向の上流側まで延びるように形成されている。このため、送風口５５から第一天井部６１を伝わる気体は、搬送方向のより上流側に流されるようになっている。
【００３６】
このように筐体３５の接続部６０は、気体が保持部６３に到達しにくくなるように当該送風された気体の流れる方向を調整する送風調整部として機能している。
【００３７】
保持部６３のうち送風口５５側の上面には、傾斜部６４及び第二天井部６５が設けられている。傾斜部６４は、接続部６０から搬送方向の下流側に掛けて送風口５５から遠ざかるように傾斜している。第二天井部６５は、傾斜部６４の搬送方向の下流側に接続されている。第二天井部６５と傾斜部６４とは連続して形成されている。第一天井部６１及び段部６２を流れた気体は、傾斜部６４及び第二天井部６５を経てキャリッジ３２の搬送方向下流側に送られるようになっている。
【００３８】
保持部６３のうち幅方向の両端部には、第二側板７２が設けられている。第二側板７２は、保持部６３の側部（幅方向の両端部）を塞ぐように形成されている。当該第二側板７２は、傾斜部６４及び第二天井部６５から幅方向に流された気体が筐体３５の内部に入り込むのを防いでいる。
【００３９】
保持部６３のうち搬送方向の下流側端部には、正面板７３が設けられている。正面板７３は、保持部６３の搬送方向の下流側を塞ぐように形成されている。当該正面板７３は、第二天井部６５から搬送方向に流された気体が筐体３５の内部に入り込むのを防いでいる。
【００４０】
第二側板７２及び正面板７３は、インクジェットヘッド３１の周囲を囲うように配置されている。第二側板７２及び正面板７３が設けられることにより、送風口５５から送られた気体の流れが規制される。このため、インクジェットヘッド３１の周囲からメディアＭ上に気体が流れ込むのを規制可能な構成となっている。このように、第二側板７２及び正面板７３は、送風口５５から送られた気体の送風方向を調整する第二送風調整部７５として機能する。
【００４１】
図４は、メディアＭ側からキャリッジ３２を見たときの構成を示す図である。  
図４に示すように、幅方向に２つ並んで配置されたインクジェットヘッド３１の周囲には、防風板７４が設けられている。防風板７４は、保持部６３に収容される形状に形成されている。防風板７４は、各インクジェットヘッド３１に対応する位置に形成された開口部７４ａ及び開口部７４ｂを有している。インクジェットヘッド３１は、開口部７４ａ及び開口部７４ｂからメディアＭ側に突出するように配置されている。防風板７４は、インクジェットヘッド３１の周囲に気体が入り込むのを防いでいる。
【００４２】
図５は、本発明の実施形態におけるキャリッジ３２の移動経路に関して送風口５５及び赤外線ヒーター５３の発熱部５３ａが設けられる範囲について説明するための図である。
なお、図５では、視認性の向上のため、キャリッジ３２と、送風口５５と、赤外線ヒーター５３とを平面上でずらして配置している。
【００４３】
送風口５５は、幅方向に延びるキャリッジ３２の移動経路に沿って設けられている。また、赤外線ヒーター５３の発熱部５３ａも、キャリッジ３２の移動経路に沿って設けられている。
【００４４】
発熱部５３ａとは、赤外線ヒーター５３のうち赤外線を照射する熱源が設けられる部位である。より詳しくは、発熱部５３ａとは、例えば、石英ガラスのパイプ内にコイル状のニクロム線が設けられた熱源部位のことであり、その両端でニクロム線に接続される端子部は含まない。キャリッジ３２の移動経路において、発熱部５３ａが設けられる範囲は、メディアＭの幅より大きい構成となっている。これにより、赤外線ヒーター５３は、メディアＭの幅方向端部を含めた赤外線照射領域を設定でき、メディアＭの記録面を均一に加熱することができる。
【００４５】
また、キャリッジ３２の移動経路において、送風口５５が設けられる範囲は、発熱部５３ａが設けられる範囲より大きい構成となっている。具体的に、キャリッジ３２の移動経路において、送風口５５が設けられる範囲は、少なくともキャリッジ３２の長さ分（本実施形態では当該長さの２倍分）、発熱部５３ａが設けられる範囲より大きい構成となっている。この構成によれば、キャリッジ３２の移動経路において、送風口５５の範囲内であって、発熱部５３ａの範囲外に、キャリッジ３２が位置するとき、発熱部５３ａから熱を受けることなく、送風口５５からの気体の送風によって冷却を効率よく行うことができる。
【００４６】
続いて、上記構成のプリンター１による印字動作及び作用について説明する。  
メディアＭが、支持面５０上の印字領域まで搬送されてくると、インクジェットヘッド３１により印字が開始される。インクジェットヘッド３１は、図２に示すように、キャリッジ３２に搭載されて、幅方向に往復移動しながら印字を行う。赤外線ヒーター５３は、支持面５０上に設定された所定の赤外線照射範囲に向けて赤外線を照射する。
【００４７】
赤外線照射範囲には、インクジェットヘッド３１による印字領域が含まれているため、インクを着弾させた記録面の領域からキャリッジ３２が退避すると、当該領域は、輻射スペクトルのピークの主要部が２μｍ〜４μｍの領域を含む波長で直接に輻射加熱される。そうすると、着弾したインクに含まれる水分子が振動し、その摩擦熱により蒸発及び乾燥が促され、メディアＭに対して滲み等を生じさせることなくインクが定着することとなる。
【００４８】
一方、送風装置５４は、支持部材５１上のメディアＭの記録面に向けて気体を送風する。具体的には、送風装置５４は、送風口５５からメディアＭへ向けて気体を噴出する。送風口５５から噴出された気体は、送風口５５の下をキャリッジ３２が通過するときに、キャリッジ３２の第一天井部６１に沿って流れる。
【００４９】
この気体の一部は、例えば幅方向の外側に向けて第一天井部６１を伝わり、接続部６０の側方（幅方向の端部）へと流れる。本実施形態では、接続部６０の幅方向の両端に突出部８１及び突出部８２が設けられているため、第一天井部６１を幅方向に伝わる気体は、当該幅方向のより外側に流されることになる。当該気体は側板７１を伝わって接続部６０の幅方向の外側に流され、保持部６３に到達しにくくなるため、インクジェットヘッド３１とメディアＭとの間に当該気体が入りにくくなる。
【００５０】
また、第一天井部６１に沿って流れる気体の一部は、例えば搬送方向の上流側に伝わる。これに対して、本実施形態では、第一天井部６１が搬送方向の上流側に突出して形成されているため、送風口５５から第一天井部６１を伝わる気体は、搬送方向のより上流側に流されることになる。この場合においても、気体が保持部６３に到達しにくくなるため、インクジェットヘッド３１とメディアＭとの間に気体が入りにくくなる。
【００５１】
また、第一天井部６１に沿って流れる気体の一部は、例えば搬送方向の下流側に向けて第一天井部６１を伝わり、段部６２から保持部６３側へと流れる。本実施形態では、保持部６３に第二側板７２及び正面板７３が設けられているため、インクジェットヘッド３１の周囲が囲まれた状態となる。このため、インクジェットヘッド３１へ向けた気体の流れが規制され、インクジェットヘッド３１とメディアＭとの間に気体が入りにくくなる。
【００５２】
以上のように、本実施形態によれば、キャリッジ３２と支持部材５１との間に配置されるメディアＭに向けて気体を送風する送風口５５を有する送風装置５４と、当該送風口５５に対応する位置に設けられ走査方向についてインクジェットヘッド３１の外側に突出するように形成され送風口５５からの送風方向を調整する接続部６０（突出部８１及び突出部８２）とを備えるので、インクジェットヘッド３１とメディアＭとの間に気体が流れ込むのを防ぐことができる。これにより、インクジェットヘッド３１から噴射されるインクの飛行曲がりを防ぐことができるので、噴射されたインクの着弾位置精度を高めることが可能となる。
【００５３】
また、上記実施形態においては、接続部６０の第一天井部６１が搬送方向において送風口５５よりも上流側に突出するように形成されているので、搬送方向の上流側からメディアＭ上に気体が流れ込むのを防ぐことができる。これにより、インクの飛行曲がりを防ぐことができるので、噴射されたインクの着弾位置精度を高めることが可能となる。
【００５４】
また、上記実施形態においては、保持部６３に第二側板７２及び正面板７３が設けられているため、インクジェットヘッド３１の周囲が囲まれた状態となる。このため、インクジェットヘッド３１へ向けた気体の流れが規制される。これにより、インクジェットヘッド３１とメディアＭとの間に気体が入りにくくなるので、インクの飛行曲がりを防ぐことができ、噴射されたインクの着弾位置精度を高めることが可能となる。
【００５５】
本発明の技術範囲は上記実施形態に限定されるものではなく、本発明の趣旨を逸脱しない範囲で適宜変更を加えることができる。  
上記実施形態においては、保持部６３に設けられた第二送風調整部７５が板状部材（第二側板７２及び正面板７３）として形成された構成を例に挙げて説明したが、これに限られることは無い。例えば、第二送風調整部７５が羽状に形成された部材によって構成されていても構わないし、箱状に形成された部材によって構成されていても構わない。これらの構成においても、送風方向への気体の流れが規制されるため、インクジェットヘッド３１とメディアＭとの間に気体が流れ込むのを防ぐことができる。これにより、インクの飛行曲がりを防ぐことができるので、噴射されたインクの着弾位置精度を高めることが可能となる。
【００５６】
また、例えば、上記実施形態においては、加熱装置が赤外線ヒーター５３である場合を例にして説明したが、赤外線ヒーターに限られず、熱風により加熱を行う装置等であってもよい。
【００５７】
また、例えば、上記実施形態においては、送風口５５から送風される気体が空気である場合を例にして説明したが、空気に限られず、成分調整されたガス、冷却された冷却ガス等であってもよい。
【００５８】
また、例えば、上記実施形態においては、記録装置がプリンター１である場合を例にして説明したが、プリンターに限られず、複写機及びファクシミリ等の装置であってもよい。
【００５９】
本発明は、例えば微小量の液滴を吐出させる記録ヘッド等を備える各種の記録装置に流用可能である。なお、液滴とは、上記記録装置から吐出される液体の状態をいい、粒状、涙状、糸状に尾を引くものも含むものとする。また、ここでいう液体とは、記録装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。
【００６０】
また、液体の代表的な例としては上記実施形態で説明したようなインクが挙げられる。ここで、インクとは一般的な水性インク及び油性インク並びにジェルインク、ホットメルトインク等の各種液体組成物を包含するものとする。また、記録媒体としては、紙や塩化ビニル系フィルム等のプラスチックフィルム以外に、薄く熱伸びする機能紙、基板や金属板などを包含するものとする。
【符号の説明】
【００６１】
Ｍ…メディア  １…プリンター  ２…搬送部  ３…記録部  ４…加熱部  ５…本体フレーム  ３１…インクジェットヘッド  ３２…キャリッジ  ５１…支持部材  ５３…赤外線ヒーター  ５４…送風装置  ５５…送風口  ６０…接続部  ６１…第一天井部  ６２…段部  ６３…保持部  ６４…傾斜部  ６５…第二天井部  ７０…背面板  ７１…側板  ７２…第二側板  ７３…正面板  ７４…防風板  ７４ａ、７４ｂ…開口部  ７５…第二送風調整部  ８１、８２…突出部
【図１】
2013139119.tif 000003
【図２】
2013139119.tif 000004
【図３】
2013139119.tif 000005
【図４】
2013139119.tif 000006
【図５】
2013139119.tif 000007